(57)【特許請求の範囲】
【請求項１】
遊技者からの景品交換が要求された場合に、前記遊技者が所有する遊技媒体のうちで遊技媒体管理機関に預けられている遊技媒体である貯遊技媒体と、前記遊技者が所有する遊技媒体のうちで前記遊技媒体管理機関に預けられていない遊技媒体である持遊技媒体とのいずれかを前記遊技者に選択させる選択部と、
前記遊技者によって貯遊技媒体が選択された場合、前記遊技者が所有する前記貯遊技媒体の数を前記景品交換に要する数だけ減じ、前記遊技者によって持遊技媒体が選択された場合、前記遊技者が所有する前記持遊技媒体の数を前記景品交換に要する数だけ減じる処理を命令する処理命令部と、
前記遊技者からの景品交換の要求を受け付けた場合に、貯遊技媒体と持遊技媒体とのいずれかを前記遊技者に選択させるための選択画面を表示部に表示させる表示制御部と
を備え、
前記遊技者が所有する前記貯遊技媒体の数が前記景品交換に要する数以上であり、かつ前記遊技者が所有する前記持遊技媒体の数が前記景品交換に要する数未満の場合、前記表示制御部は、前記選択画面を前記表示部に表示せず、前記処理命令部は、前記遊技者が所有する前記貯遊技媒体の数を前記景品交換に要する数だけ減じる処理を命令し、
前記遊技者が所有する前記貯遊技媒体の数が前記景品交換に要する数未満であり、かつ前記遊技者が所有する前記持遊技媒体の数が前記景品交換に要する数以上である場合、前記表示制御部は、前記選択画面を前記表示部に表示せず、前記処理命令部は、前記遊技者が所有する前記持遊技媒体の数を前記景品交換に要する数だけ減じる処理を命令する、景品交換受付装置。
【請求項２】
前記表示制御部は、前記遊技者が所有する前記貯遊技媒体の数および前記遊技者が所有する前記持遊技媒体の数の両方が前記景品交換に要する数以上である場合だけ、前記選択画面を前記表示部に表示させる、請求項１に記載の景品交換受付装置。
【請求項３】
請求項１または２に記載の景品交換受付装置を備える台間機。
【請求項４】
請求項１または２に記載の景品交換受付装置と、
遊技者毎に貯遊技媒体および持遊技媒体を管理する遊技媒体管理装置と
を備え、
前記遊技媒体管理装置は、前記処理命令部からの命令に応じて、前記遊技者によって貯遊技媒体が選択された場合に、前記遊技者が所有する前記貯遊技媒体の数を前記景品交換に要する数だけ減じ、前記遊技者によって持遊技媒体が選択された場合に、前記遊技者が所有する前記持遊技媒体の数を前記景品交換に要する数だけ減じる、景品交換受付システム。
【発明の詳細な説明】
【技術分野】
【０００１】
本発明は、景品交換受付装置、台間機および景品交換受付システムに関する。
【背景技術】
【０００２】
特許文献１には、交換景品情報の示す景品の価値に相当する貯玉数が、貯玉情報の示す貯玉数よりも少ないときに、貯玉交換を可能にするワゴンサービス提供システムが開示されている。
特許文献１  特開２００４−２９８４３５号公報
【発明の概要】
【発明が解決しようとする課題】
【０００３】
遊技店などで提供されるワゴンサービスなどの遊技媒体を使用した景品交換において、利便性の向上が望まれている。
【課題を解決するための手段】
【０００４】
本発明の一態様に係る景品交換受付装置は、遊技者からの景品交換が要求された場合に、上記遊技者が所有する遊技媒体のうちで遊技媒体管理機関に預けられている遊技媒体である貯遊技媒体と、上記遊技者が所有する遊技媒体のうちで上記遊技媒体管理機関に預けられていない遊技媒体である持遊技媒体とのいずれかを上記遊技者に選択させる選択部と、上記遊技者によって貯遊技媒体が選択された場合、上記遊技者が所有する上記貯遊技媒体の数を上記景品交換に要する数だけ減じ、上記遊技者によって持遊技媒体が選択された場合、上記遊技者が所有する上記持遊技媒体の数を上記景品交換に要する数だけ減じる処理を命令する処理命令部とを備える。
【０００５】
上記景品交換受付装置は、上記遊技者からの景品交換の要求を受け付けた場合に、貯遊技媒体と持遊技媒体とのいずれかを上記遊技者に選択させるための選択画面を表示部に表示させる表示制御部をさらに備えてよい。
【０００６】
上記景品交換受付装置において、上記表示制御部は、上記遊技者が所有する上記貯遊技媒体の数および上記遊技者が所有する上記持遊技媒体の数の両方が上記景品交換に要する数以上である場合だけ、上記選択画面を上記表示部に表示させてよい。
【０００７】
上記景品交換受付装置において、上記遊技者が所有する上記貯遊技媒体の数が上記景品交換に要する数以上であり、かつ上記遊技者が所有する上記持遊技媒体の数が上記景品交換に要する数未満の場合、上記表示制御部は、上記選択画面を上記表示部に表示せず、上記処理命令部は、上記遊技者が所有する上記貯遊技媒体の数を上記景品交換に要する数だけ減じる処理を命令し、上記遊技者が所有する上記貯遊技媒体の数が上記景品交換に要する数未満であり、かつ上記遊技者が所有する上記持遊技媒体の数が上記景品交換に要する数以上である場合、上記表示制御部は、上記選択画面を上記表示部に表示せず、上記処理命令部は、上記遊技者が所有する上記持遊技媒体の数を上記景品交換に要する数だけ減じる処理を命令してよい。
【０００８】
本発明の一態様に係る台間機は、上記景品交換受付装置を備える。
【０００９】
本発明の一態様に係る景品交換受付システムは、上記景品交換受付装置と、遊技者毎に貯遊技媒体および持遊技媒体を管理する遊技媒体管理装置とを備え、上記遊技媒体管理装置は、上記処理命令部からの命令に応じて、上記遊技者によって貯遊技媒体が選択された場合に、上記遊技者が所有する上記貯遊技媒体の数を上記景品交換に要する数だけ減じ、上記遊技者によって持遊技媒体が選択された場合に、上記遊技者が所有する上記持遊技媒体の数を上記景品交換に要する数だけ減じる。
【００１０】
なお、上記の発明の概要は、本発明の特徴の全てを列挙したものではない。また、これらの特徴群のサブコンビネーションもまた、発明となりうる。
【図面の簡単な説明】
【００１１】
【図１】本実施形態に係る遊技媒体管理システムのシステム構成図の一例を示す図である。
【図２】遊技媒体管理装置の機能ブロックの一例を示す図である。
【図３】台間機の外観斜視図の一例を示す図である。
【図４】台間機の機能ブロックの一例を示す図である。
【図５】表示端末の機能ブロックの一例を示す図である。
【図６】台間機におけるワゴンサービスの処理手順の一例を示すフローチャートである。
【図７Ａ】ワゴンサービスの処理中に台間機０の表示部１０６に表示される画面の一例を示す図である。
【図７Ｂ】ワゴンサービスの処理中に台間機０の表示部１０６に表示される画面の一例を示す図である。
【図７Ｃ】ワゴンサービスの処理中に台間機０の表示部１０６に表示される画面の一例を示す図である。
【図７Ｄ】ワゴンサービスの処理中に台間機０の表示部１０６に表示される画面の一例を示す図である。
【図７Ｅ】ワゴンサービスの処理中に台間機０の表示部１０６に表示される画面の一例を示す図である。
【図８】表示端末におけるワゴンサービスの処理手順の一例を示すフローチャートである。
【図９Ａ】ワゴンサービスの処理中に表示端末の表示部に表示される画面の一例を示す図である。
【図９Ｂ】ワゴンサービスの処理中に表示端末の表示部に表示される画面の一例を示す図である。
【図９Ｃ】ワゴンサービスの処理中に表示端末の表示部に表示される画面の一例を示す図である。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、本実施形態に係る遊技媒体管理システムのシステム構成図の一例を示す図である。遊技媒体管理システムは、複数の台間機１００、遊技媒体管理装置２００、端末制御装置３００、無線基地局３１０、複数の表示端末４００、および遊技媒体管理機関５００を含む。
【００１４】
台間機１００は、遊技台に併設される。遊技台は、パチンコ台、パチスロ台など遊技者が遊技を行う装置である。台間機１００は、遊技者が遊技台で遊技する場合に、会員カード、プリペイドカードなどの有価価値記録媒体、または現金などにより遊技者が指定した度数、金額などを受け付け、受け付けた度数、金額などに応じた数の玉またはメダルなどの遊技媒体を貸し出す媒体貸出機である。
【００１５】
台間機１００は、貸し出した遊技媒体の数の情報を遊技媒体管理装置２００に供給する。台間機１００は、さらに、遊技者から遊技者が所有する遊技媒体を景品に交換する景品交換の要求を受け付ける。台間機１００は、景品交換の要求を表示端末４００を介して景品提供者である遊技店の店員に通知するように、端末制御装置３００に指示する。店員は、表示端末４００に表示された景品交換に関する情報を参照して、景品交換を要求した遊技者に景品を提供する。
【００１６】
ここで、景品とは、いわゆる一般景品であり、遊技者が遊技により獲得した遊技媒体の数に応じた金銭価値を有する品である。台間機１００を介して遊技媒体との交換が受け付けられる景品は、例えば、ワゴンサービスにより提供される飲食料品または嗜好品などである。
【００１７】
遊技者が所有する遊技媒体の中には、貯玉、貯メダルなどの貯遊技媒体および持玉、持メダルなどの持遊技媒体がある。貯遊技媒体は、例えば、第三者貯玉保証管理制度に従って遊技媒体を運用する遊技媒体管理機関５００に預けられている遊技媒体である。遊技媒体管理機関５００は、遊技店とは独立した機関でよい。持遊技媒体は、例えば、遊技媒体管理機関５００に預けられていない遊技媒体である。持遊技媒体は、一日などの予め定められた期間内で使用可能な遊技媒体でよい。また、貯遊技媒体は、予め定められた期間を過ぎて使用可能な遊技媒体でよい。さらに、貯遊技媒体が預けられる機関等は、遊技媒体管理機関５００以外でもよい。
【００１８】
景品交換には、遊技者が所有する貯遊技媒体および持遊技媒体のいずれも使用できることが好ましい。しかしながら、例えば、遊技台の中には、遊技者が遊技媒体に触れることができない、いわゆる封入式遊技台がある。このような遊技台では、遊技者の手元に持遊技媒体がないので、持遊技媒体を使用してワゴンサービスなどの景品交換を即座にできない場合もある。
【００１９】
また、例えば、遊技者が遊技を行う際に、貯遊技媒体から持遊技媒体に交換する場合がある。そして、貯遊技媒体から持遊技媒体へ交換する場合、交換手数料に相当する数の貯遊技媒体が、遊技者が所有する貯遊技媒体から差し引かれる場合が多い。一方、貯遊技媒体を使用して景品交換を行う場合、通常交換手数料はかからない。しかしながら、貯遊技媒体から持遊技媒体への交換と、貯遊技媒体から景品への交換とが区別されずに、貯遊技媒体を使用した景品交換に手数料がかかってしまう場合がある。
【００２０】
そこで、本実施形態に係る台間機１００は、景品交換に必要な遊技媒体として、遊技者が所有する貯遊技媒体のほかに持遊技媒体も遊技者が容易に選択できるように構成する。これにより、景品交換時の遊技者の利便性を向上させることができる。例えば、遊技者がワゴンサービスを利用する場合に、本来、差し引かれる必要のない手数料がかかってしまうことを防止でき、遊技者が不利益を被ることを防止できる。
【００２１】
遊技媒体管理装置２００は、受け付けた現金、会員カードまたはプリペイドカードの残度数などの情報と共に、貸し出した遊技媒体の数の情報を管理する。遊技媒体管理装置２００は、遊技者毎に、遊技媒体管理機関５００に預けられている遊技媒体である貯遊技媒体の数と、遊技媒体管理機関５００に預けられていない遊技媒体である持遊技媒体の数とをそれぞれ管理する。
【００２２】
遊技媒体管理装置２００は、定期的に、遊技者毎の貯遊技媒体の数を遊技媒体管理機関５００に提供する。遊技媒体管理装置２００は、例えば、遊技店の閉店後に、その遊技店が管理している遊技者毎の貯遊技媒体の数を遊技媒体管理機関５００に提供する。遊技媒体管理機関５００は、例えば、遊技店の開店前に、その遊技店が管理している遊技者毎の貯遊技媒体の数を遊技媒体管理装置２００に提供する。
【００２３】
端末制御装置３００は、台間機１００からの指示に応じて、遊技店の店員が保持する表示端末４００に無線基地局３１０を介して情報を提供する。無線基地局３１０は、いわゆるアクセスポイントであり、無線を介して表示端末４００と通信する。表示端末４００は、例えば、遊技者から景品交換の要求があったことを店員に通知する。
【００２４】
図２は、遊技媒体管理装置２００の機能ブロックの一例を示す図である。遊技媒体管理装置２００は、遊技媒体情報格納部２０２、遊技媒体情報提供部２０４、および遊技媒体情報更新部２０６を備える。遊技媒体情報格納部２０２は、遊技者毎の貯遊技媒体の数および持遊技媒体の数を示す遊技媒体情報を格納する。遊技媒体情報格納部２０２は、遊技者の会員番号に関連付けて、貯遊技媒体の数および持遊技媒体の数を格納してよい。遊技媒体情報提供部２０４は、台間機１００からの要求に応じて、指定された遊技者の貯遊技媒体の数および持遊技媒体の数を含む遊技媒体情報を台間機１００に提供する。遊技媒体情報提供部２０４は、定期的に、例えば一日単位で、遊技者毎の貯遊技媒体の数を含む遊技媒体情報を遊技媒体管理機関５００に提供してよい。
【００２５】
遊技媒体情報更新部２０６は、台間機１００からの要求に応じて、遊技媒体情報格納部２０２に格納された、指定された遊技者の貯遊技媒体の数および持遊技媒体の数を含む遊技媒体情報を更新する。遊技媒体情報更新部２０６は、定期的に、例えば一日単位で、遊技媒体管理機関５００から提供される遊技者毎の貯遊技媒体の数を含む遊技媒体情報に基づいて、遊技媒体情報格納部２０２に格納された遊技者毎の貯遊技媒体の数を更新してよい。
【００２６】
図３は、台間機１００の外観斜視図の一例である。台間機１００は、カード挿入部１０２および表示部１０６を備える。カード挿入部１０２は、遊技者が所有する会員カードまたはプリペイドカードを挿入する挿入口である。表示部１０６は、遊技者に提供する情報を表示する。表示部１０６は、遊技者から指示を受け付けるタッチパネル形式の液晶パネルを含む。表示部１０６は、例えば、ワゴンサービスなどの景品交換に関する情報を表示する。表示部１０６は、遊技者からワゴンサービスなどの景品交換の要求を受け付ける。
【００２７】
図４は、台間機１００の機能ブロックの一例である。台間機１００は、カード挿入部１０２、カード情報取得部１０４、表示部１０６、遊技処理部１０８、および景品交換受付部１１０を備える。景品交換受付部１１０は、景品交換受付装置の一例である。カード情報取得部１０４は、カード挿入部１０２に挿入されたカードに記憶されている会員番号などのカード情報を取得する。遊技処理部１０８は、遊技者の遊技台を用いた遊技に応じた遊技処理を実行する。遊技処理部１０８は、例えば、表示部１０６を介して遊技者から貯遊技媒体から持遊技媒体への交換の要求を示す媒体交換要求に応じて、要求された数を貯遊技媒体から持遊技媒体へ交換するよう遊技媒体管理装置２００に指示する。遊技媒体管理装置２００は、媒体交換要求に応じて、対応する遊技者が所有する貯遊技媒体および持遊技媒体の数を更新する。
【００２８】
景品交換受付部１１０は、表示部１０６を介して遊技者から景品交換の要求を受けたことに対応して、遊技者から景品交換の要求があったことを店員に知らせるべく、端末制御装置３００に通知する。
【００２９】
景品交換受付部１１０は、遊技媒体情報取得部１１２、表示制御部１１４、選択部１１６、処理命令部１１８、および表示命令部１２０を含む。遊技媒体情報取得部１１２は、遊技媒体管理装置２００から遊技者の遊技媒体情報を取得する。遊技媒体情報取得部１１２は、カード情報取得部１０４により取得された会員番号に対応する遊技者の遊技媒体情報を遊技媒体管理装置２００から取得してよい。
【００３０】
表示制御部１１４は、表示部１０６に表示される画面を制御する。表示制御部１１４は、遊技者からの景品交換の要求を受け付けた場合に、貯遊技媒体と持遊技媒体とのいずれかを遊技者に選択させるための選択画面を表示部１０６に表示させる。表示制御部１１４は、遊技者が所有する貯遊技媒体の数および遊技者が所有する持遊技媒体の数の両方が景品交換に要する数以上である場合だけ、選択画面を表示部１０６に表示させてよい。
【００３１】
選択部１１６は、遊技者からの景品交換が表示部１０６を介して要求された場合に、遊技者が所有する遊技媒体のうちで遊技媒体管理機関に預けられている遊技媒体である貯遊技媒体と、遊技者が所有する遊技媒体のうちで遊技媒体管理機関に預けられていない遊技媒体である持遊技媒体とのいずれかを遊技者に選択させる。本実施形態では、選択部１１６は、タッチパネル形式の表示部１０６を介して遊技者から選択を受け付ける。しかし、選択部１１６は、表示部１０６以外の別途台間機１００に設けられたボタン、音声認識装置、遊技者が所有するスマートフォンなどの携帯端末などの他のユーザインタフェースを介して遊技者から選択を受け付けてよい。
【００３２】
処理命令部１１８は、景品交換に使用する遊技媒体として遊技者によって貯遊技媒体が選択された場合、遊技者が所有する貯遊技媒体の数を景品交換に要する数だけ減じる処理を遊技媒体管理装置２００に命令する。処理命令部１１８は、遊技者によって持遊技媒体が選択された場合、遊技者が所有する持遊技媒体の数を景品交換に要する数だけ減じる処理を遊技媒体管理装置２００に命令する。遊技媒体管理装置２００は、処理命令部１１８からの命令に応じて、遊技者によって貯遊技媒体が選択された場合に、遊技者が所有する貯遊技媒体の数を景品交換に要する数だけ減じる。遊技媒体管理装置２００は、遊技者によって持遊技媒体が選択された場合に、遊技者が所有する持遊技媒体の数を景品交換に要する数だけ減じる。
【００３３】
遊技者が所有する貯遊技媒体の数が景品交換に要する数以上であり、かつ遊技者が所有する持遊技媒体の数が景品交換に要する数未満の場合、表示制御部１１４は、選択画面を表示部１０６に表示させなくてよい。この場合、処理命令部１１８は、遊技者から景品交換の要求を受け付けたことに対応して、遊技者が所有する貯遊技媒体の数を景品交換に要する数だけ減じる処理を遊技媒体管理装置２００に命令してよい。
【００３４】
また、遊技者が所有する貯遊技媒体の数が景品交換に要する数未満であり、かつ遊技者が所有する持遊技媒体の数が景品交換に要する数以上である場合にも、表示制御部１１４は、選択画面を表示部１０６に表示させなくてもよい。この場合、処理命令部１１８は、遊技者から景品交換の要求を受け付けたことに対応して、遊技者が所有する持遊技媒体の数を景品交換に要する数だけ減じる処理を遊技媒体管理装置２００に命令してよい。
【００３５】
表示命令部１２０は、遊技者からの要求に応じた情報を表示端末４００に表示するよう端末制御装置３００に命令する。表示命令部１２０は、例えば、遊技者から要求された景品交換に関する景品交換要求情報を表示端末４００に表示するよう端末制御装置３００に命令する。景品交換要求情報は、例えば、景品交換を要求している遊技者の氏名、会員番号などの会員情報、遊技者が所有する持遊技媒体および貯遊技媒体の数、要求している景品交換の内容、引き落とし方法（貯遊技媒体または持遊技媒体）、引き落としに必要な遊技媒体の数、景品交換を要求している遊技者が遊技している遊技機の台番号などの遊技者の場所（注文者の場所）の情報などを含む。
【００３６】
図５は、表示端末４００の機能ブロックの一例を示す図である。表示端末４００は、表示部４０２、表示制御部４０４、注文受付判定部４０６、およびサービス完了判定部４０８を備える。表示部４０２は、例えば、タッチパネル形式の液晶パネルである。表示部４０２は、端末制御装置３００からの指示に応じて、景品交換要求情報などを表示する。注文受付判定部４０６は、表示部４０２に表示された景品交換要求情報を参照して、遊技者から要求された景品の交換が可能であることを確認して、注文を受け付けたことを店員が表示部４０２を介して指示したか否かを判定する。注文受付判定部４０６は、店員が注文を受け付けたと判定した場合、その旨を端末制御装置３００に通知する。端末制御装置３００は、注文を受け付けたことを台間機１００の表示部１０６を介して遊技者に通知するよう台間機１００に指示する。
【００３７】
サービス完了判定部４０８は、注文された景品が遊技者に提供されたことを表示部４０２を介して店員が指示したか否かを判定する。サービス完了判定部４０８は、注文された景品が遊技者に提供されたと判定した場合、その旨を端末制御装置３００に通知する。端末制御装置３００は、注文された景品が遊技者に提供されたという通知を受けて、表示端末４００への今回の景品交換に関する情報の表示を終了させるように表示端末４００に指示してよい。
【００３８】
図６は、台間機１００におけるワゴンサービスの処理手順の一例を示すフローチャートである。図７Ａから図７Ｅは、ワゴンサービスの処理中に台間機１００の表示部１０６に表示される画面の一例を示す図である。
【００３９】
まず、遊技者が遊技台に座り、台間機１００のカード挿入部１０２に会員カードを挿入すると、カード情報取得部１０４は、会員カードの挿入を検知して、挿入された会員カードから会員番号を取得する（Ｓ１００）。さらに、台間機１００は、遊技者の認証要求を行う（Ｓ１０２）。台間機１００は、例えば、台間機１００に設けられた撮像部により遊技者を撮像し、撮像された画像から遊技者の顔を含む顔画像を抽出し、顔画像と会員番号とを顔認証装置に提供することで、遊技者の認証要求を行ってよい。
【００４０】
遊技者が会員番号に対応する遊技者であることが顔認証装置により認証されると、表示制御部１１４は、表示部１０６にメインメニュー画面を表示する（Ｓ１０４）。表示制御部１１４は、メインメニュー画面として、例えば、図７Ａに示すような画面を表示部１０６に表示させてよい。メインメニュー画面は、遊技者が飲食料品、嗜好品などの景品を遊技者が遊技している遊技台の所まで持ってきてもらうサービスであるワゴンサービスを要求できる「ワゴンサービス」ボタンを含む。
【００４１】
遊技者によりワゴンサービスが選択されると（Ｓ１０６）、表示制御部１１４は、表示部１０６に図７Ｂに示すような注文呼出選択画面を表示する（Ｓ１０８）。注文呼出選択画面は、表示部１０６によりワゴンサービスの注文を行う場合に選択される「注文」ボタン、および店員を呼び出してワゴンサービスの注文を行う「呼出」ボタンを含んでよい。遊技者が、注文呼出選択画面上の「注文」ボタンをタッチすることで、注文選択が行われると（Ｓ１１０）、表示制御部１１４は、図７Ｃに示すような注文画面を表示部１０６に表示する（Ｓ１１２）。注文画面は、ワゴンサービスにより遊技者に提供可能な飲食料品、嗜好品などの景品の選択ボタンを含む。
【００４２】
注文画面上で遊技者により所望の景品の選択が行われると（Ｓ１１４）、表示制御部１１４は、遊技者が所有する貯遊技媒体または持遊技媒体の数が、選択された景品の交換に要する数を満たすか否かを判定することで、引き落とし可能な貯遊技媒体または持遊技媒体があるか否かを判定する（Ｓ１１６）。引き落とし可能な貯遊技媒体および持遊技媒体がなければ、表示制御部１１４は、表示部１０６に景品交換ができない旨を表示して、遊技処理部１０８が、遊技処理を実行する（Ｓ１１７）。遊技処理部１０８は、遊技者が遊技台を介して行った遊技操作に応じた遊技処理を実行してよい。
【００４３】
引き落とし可能な貯遊技媒体または持遊技媒体があれば、表示制御部１１４は、引き落とし可能な遊技媒体が、貯遊技媒体または持遊技媒体のみか否かを判定する（Ｓ１１８）。引き落とし可能な遊技媒体が貯遊技媒体のみであれば、処理命令部１１８は、選択された景品の交換に要する数だけ遊技者の貯遊技媒体の数を減じるように、貯遊技媒体の引き落とし処理を遊技媒体管理装置２００に命令する（Ｓ１２６）。
【００４４】
引き落とし可能な遊技媒体が持遊技媒体のみであれば、処理命令部１１８は、選択された景品の交換に要する数だけ遊技者の持遊技媒体の数を減じるように、持遊技媒体の引き落とし処理を遊技媒体管理装置２００に命令する（Ｓ１２８）。
【００４５】
引き落とし可能な遊技媒体が貯遊技媒体および持遊技媒体の両方であれば、表示制御部１１４は、図７Ｄに示すような選択画面を表示部１０６に表示する（Ｓ１２０）。選択画面には、景品交換に用いる遊技媒体として、貯遊技媒体を選択する場合の「貯玉」ボタン、および持遊技媒体を選択する場合の「持玉」ボタンを含んでよい。
【００４６】
選択画面上で引き落としに用いる遊技媒体の選択の操作が行われ（Ｓ１２２）、選択部１１６は、遊技者が貯遊技媒体を選択したか、持遊技媒体を選択したかを判断する（Ｓ１２４）。遊技者が貯遊技媒体を選択した場合には、処理命令部１１８は、貯遊技媒体の引き落とし処理を遊技媒体管理装置２００に命令する（Ｓ１２６）。遊技者が持遊技媒体を選択した場合には、処理命令部１１８は、持遊技媒体の引き落とし処理を遊技媒体管理装置２００に命令する（Ｓ１２８）。
【００４７】
次いで、遊技媒体管理装置２００が引き落とし処理に成功すると、処理命令部１１８は、遊技媒体管理装置２００から引き落とし完了の通知を受け付ける（Ｓ１３０）。遊技媒体管理装置２００から引き落とし完了の通知を受け付けると、注文情報を端末制御装置３００に送信する（Ｓ１３２）。注文情報は、要求者の会員番号、選択された景品の識別情報、景品の数、引き落とし方法、引き落としされる遊技媒体の数、選択された景品の識別情報、景品の数、引き落とし方法、引き落としされる遊技媒体の数、要求者が遊技中の遊技機の台番号などの要求者がいる場所の情報などを含んでよい。
【００４８】
景品提供者である店員の表示端末４００は、台間機１００から送信された注文情報を端末制御装置３００を介して受信する（Ｓ１３４）。表示端末４００は、注文情報を含む注文受付画面を表示する（Ｓ１３６）。
【００４９】
図８は、表示端末４００におけるワゴンサービスの処理手順の一例を示すフローチャートである。図９Ａから図９Ｃは、ワゴンサービスの処理中に表示端末４００の表示部４０２に表示される画面の一例を示す図である。
【００５０】
表示制御部４０４は、図６のステップＳ１３４で示すように端末制御装置３００から注文情報を受信して、ステップＳ１３６で示すように、注文受付画面を表示部４０２に表示する。注文受付画面は、例えば、図９Ａに示すような画面でよい。注文受付画面には、要求者の会員番号、氏名、選択された景品の識別情報、景品の数、引き落とし方法、引き落としされる遊技媒体の数、および要求者が遊技中の遊技機の台番号などの要求者がいる場所の情報が含まれる。
【００５１】
注文された景品が提供できると店員が判断すると、注文受付画面上で店員が注文受付の操作を実行する（Ｓ２００）。例えば、図９Ａに示す注文受付画面上の「受付」ボタンをタッチすることで、店員は注文受付の操作を実行する。注文受付判定部４０６は、注文受付画面上で店員が注文受付の操作を実行したか否かを判定する。
【００５２】
注文受付判定部４０６は、注文受付の操作が実行されたことを検知すると、注文受付完了を端末制御装置３００に送信する（Ｓ２０２）。台間機１００は、端末制御装置３００を介して注文受付完了を受信する（Ｓ２０４）。次いで、台間機１００の表示制御部１１４は、図７Ｅに示すような注文完了画面を表示部１０６に表示する（Ｓ２０６）。表示部１０６に注文完了画面が表示されると、台間機１００は、注文完了画面が正常に表示されたことを示す注文完了受付を端末制御装置３００を介して表示端末４００に送信し（Ｓ２０８）、表示端末４００は、注文完了受付を受信する（Ｓ２１０）。
【００５３】
表示端末４００が注文完了受付を受信すると、端末制御装置３００は、お届け情報画面を表示部４０２に表示するよう表示端末４００に指示する。表示制御部４０４は、図９Ｂに示すようなお届け情報画面を表示部４０２に表示する（Ｓ２１２）。
【００５４】
店員は、景品の準備および遊技者への景品の運搬を行い（Ｓ２１４）、景品として例えば飲料品を遊技者に提供する（Ｓ２１６）。飲料品などの景品の提供が完了すると、店員は、景品の提供が終了したことを示すお届け完了の操作を実行する（Ｓ２１８）。店員は、図９Ｂに示すお届け情報画面上の「完了」ボタンをタッチすることで、お届け完了の操作を実行する。サービス完了判定部４０８は、お届け情報画面上の「完了」ボタンがタッチされたか否かを判定することで、注文された景品が遊技者に提供されたか否かを判定する。サービス完了判定部４０８は、お届け情報画面上の「完了」ボタンがタッチされたと判定すると、お届け完了を端末制御装置３００に送信する（Ｓ２２０）。端末制御装置３００は、お届け完了を受信すると（Ｓ２２２）、端末制御装置３００は、図９Ｃに示すような注文完了画面を表示部４０２に表示するよう表示端末４００に指示する。指示を受けて、表示制御部４０４は、注文完了画面を表示部４０２に表示する（Ｓ２２４）。一定時間経過後、表示制御部４０４は、注文完了画面を閉じて、注文完了処理を行う（Ｓ２２６）。
【００５５】
以上、本実施形態によれば、景品交換に必要な遊技媒体として、遊技者が所有する貯遊技媒体のほかに持遊技媒体も遊技者が選択できる。これにより、景品交換時の遊技者の利便性を向上させることができる。例えば、封入式遊技台で遊技中の遊技者が、持遊技媒体を使用してワゴンサービスなどの景品交換を即座にできる。また、遊技者がワゴンサービスを利用する場合に、本来、差し引かれる必要のない手数料がかかってしまうことを防止でき、遊技者が不利益を被ることを防止できる。
【００５６】
なお、本実施形態に係る台間機１００が備える各部は、台間機１００における景品交換受付に関する各種処理を行う、コンピュータ読み取り可能な記録媒体に記録されたプログラムをインストールし、このプログラムをコンピュータに実行させることで、構成してもよい。つまり、コンピュータに台間機１００の景品交換受付に関する各種処理を行うプログラムを実行させることにより、台間機１００が備える各部としてコンピュータを機能させることで、台間機１００を構成してもよい。
【００５７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５９】
１００  台間機
１０２  カード挿入部
１０４  カード情報取得部
１０６  表示部
１０８  遊技処理部
１１０  景品交換受付部
１１２  遊技媒体情報取得部
１１４  表示制御部
１１６  選択部
１１８  処理命令部
１２０  表示命令部
２００  遊技媒体管理装置
２０２  遊技媒体情報格納部
２０４  遊技媒体情報提供部
２０６  遊技媒体情報更新部
３００  端末制御装置
３１０  無線基地局
４００  表示端末
４０２  表示部
４０４  表示制御部
４０６  注文受付判定部
４０８  サービス完了判定部
５００  遊技媒体管理機関
【図１】
0006387783.tif 000002
【図２】
0006387783.tif 000003
【図３】
0006387783.tif 000004
【図４】
0006387783.tif 000005
【図５】
0006387783.tif 000006
【図６】
0006387783.tif 000007
【図７Ａ】
0006387783.tif 000008
【図７Ｂ】
0006387783.tif 000009
【図７Ｃ】
0006387783.tif 000010
【図７Ｄ】
0006387783.tif 000011
【図７Ｅ】
0006387783.tif 000012
【図８】
0006387783.tif 000013
【図９Ａ】
0006387783.tif 000014
【図９Ｂ】
0006387783.tif 000015
【図９Ｃ】
0006387783.tif 000016